(57)【要約】      （修正有）【課題】測量用ポールを取り付けたまま三脚を容易に移動させることができ、かつ、測量用ポールが地面や路面等に垂直な状態となるように、三脚の位置や脚の角度等を容易に調整できる測量用ポール保持装置を提供する。【解決手段】測量用ポールを保持するポール保持部２の背面に延出部６を設け、ポール保持部を、脚頭１ａに延出部の端部を中心として上下方向に回動可能に設けるとともに、ポール保持部の背面と延出部の交差部を中心として背面と垂直な軸の周りに回動可能とする。ポール保持部は延出部の端部を中心として上下左右方向に回動可能としても良く、そのためにはユニバーサルジョイントを用いるのが好適である。また、ポール保持部の正面に開口部２ａが形成されている。【選択図】図１
0003187891.tif 000002
【実用新案登録請求の範囲】
【請求項１】
三脚又は二脚と、前記三脚又は二脚の脚頭と、測量用ポールを保持するポール保持部と、該ポール保持部の背面から延びる延出部又は前記脚頭から正面側に延びる支持部を備え、前記ポール保持部を、前記延出部の端部又は前記支持部の端部を中心として前記脚頭に対し上下方向に回動可能に設けるとともに、前記背面と前記延出部又は前記支持部の交差部を中心として前記背面と垂直な軸の周りに回動可能としたことを特徴とする測量用ポール保持装置。
【請求項２】
前記ポール保持部を、前記延出部の端部又は前記支持部の端部を中心として前記脚頭に対し上下左右方向に回動可能に設けたことを特徴とする請求項１に記載の測量用ポール保持装置。
【請求項３】
前記延出部の端部と前記脚頭又は前記支持部の端部と前記ポール保持部の背面をユニバーサルジョイントで接続したことを特徴とする請求項２に記載の測量用ポール保持装置。
【請求項４】
前記ポール保持部の正面側に開口部が形成されていることを特徴とする請求項１ないし３のいずれかに記載の測量用ポール保持装置。
【考案の詳細な説明】
【技術分野】
【０００１】
本考案は、測量用ポールを垂直に保持する測量用ポール保持装置に関するものである。
【背景技術】
【０００２】
測量用ポールを垂直に保持する測量用ポール保持装置としては、三脚の脚頭に直接設けたポール保持部や同脚頭に回動可能に取り付けられた支持アームの先の挟持片によって測量用ポールを垂直に保持するもの等が知られている。
【０００３】
例えば、特許文献１（実用新案登録第３１２６７８９号公報）には、図８に示すように、ポール保持部８２を三脚８１の脚頭８１ａに直接設けるとともに、ポール保持部８２に垂直方向に連続する開口部８２ａを設け、この開口部８２ａから測量用ポールを押し込んで挟持部８２ｂによって保持するようにした測量用ポール保持装置が記載されている。
また、特許文献２（特開２０００−３０４５３９号公報）には、図９に示すように、測量用三脚９１の脚頭９４に支持体９６を所定の姿勢に調整できるように固設し、その支持体９６には水平方向に延びる円筒形状の支持筒９６ａが固設され、その支持筒９６ａに挿通された棒状の支持アーム９７が軸回りに回動可能及び軸線方向へ進退移動可能に支持され、その支持アーム９７の先端に設けられた基端部９９ａ、挟持片９９ｂ及び９９ｃ等を有するポールホルダ９９によってピンポールＰ１等を垂直に保持する測量用ポール保持装置が記載されている。
【先行技術文献】
【特許文献】
【０００４】
【特許文献１】実用新案登録第３１２６７８９号公報
【特許文献２】特開２０００−３０４５３９号公報
【考案の概要】
【考案が解決しようとする課題】
【０００５】
しかし、特許文献１に記載された測量用ポール保持装置は、測量用ポールを取り付けたままで三脚８１を容易に移動させることはできるものの、ポール保持部８２が三脚８１の脚頭８１ａに直接設けられ、固定されていたため、ポール保持部８２に測量用ポールを保持させ、その測量用ポールが地面や路面等に垂直な状態に維持されるように三脚８１の位置や脚の角度等を調整するのが容易ではなかった。
また、特許文献２に記載された測量用ポール保持装置は、ポールホルダ９９が支持アーム９７を介して測量用三脚９１の脚頭９４に取り付けられているため、測量用ポールをポールホルダ９９に取り付けたまま測量用三脚９１を移動させることが困難である上、測量用ポールが測量用三脚９１の脚頭９４から離れた位置で保持されるため、測量用ポールが不安定になりやすく、その位置決めも困難であった。
さらに、支持体９６、支持筒９６ａ、支持アーム９７及びポールホルダ９９等を備えているため、全体の重量が重くなるとともに、各部の位置調整や固定操作が面倒であった。
【０００６】
本考案の課題は、特許文献１に記載された測量用ポール保持装置の有する、測量用ポールを取り付けたまま三脚を容易に移動させることができるという長所を保持しつつ、測量用ポールが地面や路面等に垂直な状態となるように、三脚の位置や脚の角度等を容易に調整できるようにすることである。
【課題を解決するための手段】
【０００７】
請求項１に係る考案の測量用ポール保持装置は、三脚又は二脚と、前記三脚又は二脚の脚頭と、測量用ポールを保持するポール保持部と、該ポール保持部の背面から延びる延出部又は前記脚頭から正面側に延びる支持部を備え、前記ポール保持部を、前記延出部の端部又は前記支持部の端部を中心として前記脚頭に対し上下方向に回動可能に設けるとともに、前記背面と前記延出部又は前記支持部の交差部を中心として前記背面と垂直な軸の周りに回動可能としたことを特徴とする。
【０００８】
請求項２に係る考案の測量用ポール保持装置は、請求項１に記載の測量用ポールにおいて、前記ポール保持部を、前記延出部の端部又は前記支持部の端部を中心として前記脚頭に対し上下左右方向に回動可能に設けたことを特徴とする。
【０００９】
請求項３に係る考案の測量用ポール保持装置は、請求項２に記載の測量用ポール保持装置において、前記延出部の端部と前記脚頭又は前記支持部の端部と前記ポール保持部の背面をユニバーサルジョイントで接続したことを特徴とする。
【００１０】
請求項４に係る考案の測量用ポール保持装置は、請求項１ないし３のいずれかに記載の測量用ポール保持装置において、前記ポール保持部の正面側に開口部が形成されていることを特徴とする。
【考案の効果】
【００１１】
請求項１に係る考案によれば、ポール保持部が延出部又は支持部を介して三脚又は二脚の脚頭に設けられるので、ポール保持部に測量用ポールを取り付けたまま三脚又は二脚を容易に移動させることができる。二脚の場合には、全体の重量が軽いのでこの効果はより顕著である。
また、ポール保持部が、脚頭に対し上下方向に回動可能、かつ、その背面と垂直な軸の周りにも回動可能となっているので、ポール保持部に取り付けた測量用ポールが地面や路面等に対して垂直な状態に維持されるように、三脚又は二脚の位置や脚の角度等を容易に調整することができる。
【００１２】
請求項２に係る考案によれば、ポール保持部が、脚頭に対し上下方向だけでなく左右方向にも回動可能となっているので、ポール保持部に取り付けた測量用ポールが地面や路面等に対して垂直な状態に維持されるようにするための、三脚又は二脚の位置や脚の角度等の調整を、請求項１に係る考案より容易に行うことができる。
【００１３】
請求項３に係る考案によれば、延出部の端部と脚頭又は支持部の端部とポール保持部の背面をユニバーサルジョイントで接続しており、ポール保持部と脚頭の位置関係がひとつの部材で自由に変更可能となっているので、ポール保持部に取り付けた測量用ポールが地面や路面等に対して垂直な状態に維持されるようにするための、三脚又は二脚の位置や脚の角度等の調整を、請求項２に係る考案より容易に行うことができる。
また、ポール保持部の脚頭への組み付けを容易に行えるという効果も奏する。
【００１４】
請求項４に係る考案によれば、請求項１ないし３のいずれかに係る考案による効果に加え、ポール保持部の正面側に開口部が形成されているので、測量用ポールをポール保持部で保持した時、その一部が隠れることがなく、測量用ポールを写真撮影したときの見栄えが良いという効果を奏する。
【図面の簡単な説明】
【００１５】
【図１】実施例１の測量用ポール保持装置の平面図。
【図２】実施例１の測量用ポール保持装置の正面図。
【図３】実施例１の測量用ポール保持装置の側面図。
【図４】実施例２の測量用ポール保持装置の平面図。
【図５】実施例２の測量用ポール保持装置の正面図。
【図６】実施例２の測量用ポール保持装置の側面図。
【図７】実施例１又は２の使用状態を示す正面図。
【図８】特許文献１記載の測量用ポール保持装置の平面図。
【図９】特許文献２記載の測量用ポール保持装置の側面図。
【考案を実施するための形態】
【００１６】
以下、実施例によって本考案の実施形態を説明する。
【実施例１】
【００１７】
実施例１の測量用ポール保持装置の平面図を図１に、同正面図を図２に、同側面図を図３に、その使用状態を図７に示す。
【００１８】
実施例１の測量用ポール保持装置は、図１〜３に示すように、特許文献１記載の測量用ポール保持装置におけるポール保持部８２を三脚８１の脚頭８１ａに直接設けるのに代えて、ポール保持部２を脚頭１ａに対して上下方向に回動可能、かつ、その背面と垂直な軸の周りにも回動可能としたものである。
三脚１の脚頭１ａには、垂直に延びる突出部４が設けてあり、その突出部４は２枚の略台形の薄い板状部４ａ、４ｂからなり、図１及び図３に示すように、板状部４ａ、４ｂは、それぞれ正面側と両側面側が垂直面、背面側が傾斜面となっている。
ポール保持部２は、薄い金属板や合成樹脂等の可撓性材料で形成されており、図１及び図２に示すように背面側が長方形状で、その２つの長辺から正面側に弧状に挟持部２ｂが延び、挟持部２ｂの正面側には外側に開いた短いポール導入部２ｃが延びている。
２つの挟持部２ｂの間が開口部２ａとなっており、その開口幅ｄは測量用ポール３の直径より若干小さくなっている。
このような構造となっているので、測量用ポール３を開口部２ａに沿って押し当てると、測量用ポール３の側面がポール導入部２ｃに突き当たって挟持部２ｂを押し開き、ポール保持部２の背面側に測量用ポール３が入り込んで挟持される。
【００１９】
また、図１及び図３に示すように、ポール保持部２の背面側には、その中央部にねじ５によって連結される略コの字状の延出部６が設けられており、図２に示すように、ポール保持部２はねじ５の周りに回動できるようになっている。ただし、ポール保持部２と延出部６は、ねじ５で締め付けられているので、ポール保持部２をねじ５の周りに回動させるためにはある程度の力を必要とし、一旦回動を止めた後においてはポール保持部２と延出部６の位置関係が簡単に変わることがないようになっている。
図１及び図３に示すように、延出部６の両側に延びる２つの延出片６ａ、６ｂは、内側面の間隔が板状部４ａ、４ｂの外側面の間隔より少し大きく、延出部６が脚頭１ａに対して上下方向に回動可能となるように突出部４にボルト等の手段により固定されている。ただし、突出部４と延出部６は、ボルト等で締め付けられているので、ポール保持部２を脚頭１ａに対して上下方向に回動させるためにはある程度の力を必要とし、一旦回動を止めた後においてはポール保持部２と脚頭１ａの位置関係が簡単には変わらないようになっている。
そのため、突出部４の板状部４ａ、４ｂの間には、ボルト等が通れる穴のあいたスペーサ４ｃが設けてある。
以上の構造によって、ポール保持部２は、延出部６の端部を中心として脚頭１ａに対し上下方向に回動可能、かつ、背面と垂直な軸であるねじ５の周りに回動可能となるとともに、一旦回動を止めた後においてはポール保持部２と脚頭１ａの位置関係が簡単には変わらないようになっている。
【００２０】
実施例１の測量用ポール保持装置を使用する時には、測量用ポール３をポール保持部２に保持させ、測量用ポール３の下端部を地面や路面等に位置決めした後、測量用ポール３を垂直に立てて、測量用ポール保持装置の高さ、三脚１の位置及び脚１ｂの角度等の調整を行う。そうすると、ポール保持部２に保持させた測量用ポール３は、最後の調整を行った状態で一時的に固定され、地面や路面等に対して垂直な状態に維持される。
図７は、測量用ポール３が地面や路面等に対して垂直な状態に維持された状態を示す図である。
【実施例２】
【００２１】
実施例２の測量用ポール保持装置の平面図を図４に、同正面図を図５に、同側面図を図６に、その使用状態を図７に示す。
なお、図４〜６及び以下の説明において、実施例１と変わっていない箇所については、実施例１と同じ番号を用いる。
【００２２】
実施例２の測量用ポール保持装置は、図４〜６に示すように、実施例１の測量用ポール保持装置の三脚１を二脚１１に変更したものである。
二脚１１の脚頭１１ａには、垂直に延びる突出部１４が設けてあり、その突出部１４は２枚の略台形の薄い板状部１４ａ、１４ｂからなり、図４及び図６に示すように、板状部１４ａ、１４ｂは、それぞれ背面側と両側面側が垂直面、正面側が傾斜面となっている。
ポール保持部２は、実施例１と同じ構造となっているので、説明は省略する。
【００２３】
図４及び図６に示すように、また、実施例１と同様に、延出部６の両側に延びる２つの延出片６ａ、６ｂは、内側面の間隔が板状部１４ａ、１４ｂの外側面の間隔より少し大きく、延出部６が脚頭１１ａに対して上下方向に回動可能となるように突出部１４にボルト等の手段により固定されている。ただし、突出部１４と延出部６は、ボルト等で締め付けられているので、ポール保持部２を脚頭１１ａに対して上下方向に回動させるためにはある程度の力を必要とし、一旦回動を止めた後においてはポール保持部２と脚頭１１ａの位置関係が簡単には変わらないようになっている。
そのため、突出部１４の板状部１４ａ、１４ｂの間には、ボルト等が通れる穴のあいたスペーサ１４ｃが設けてある。
以上の構造によって、ポール保持部２は、延出部６の端部を中心として脚頭１１ａに対し上下方向に回動可能、かつ、背面と垂直な軸であるねじ５の周りに回動可能となるとともに、一旦回動を止めた後においてはポール保持部２と脚頭１１ａの位置関係が簡単には変わらないようになっている。
【００２４】
実施例２の測量用ポール保持装置を使用する時には、測量用ポール３をポール保持部２に保持させ、測量用ポール３の下端部を地面や路面等に位置決めした後、測量用ポール３を垂直に立てて、測量用ポール保持装置の高さ、二脚１１の位置及び脚１１ｂの角度等の調整を行う。そうすると、ポール保持部２に保持させた測量用ポール３は、最後の調整を行った状態で一時的に固定され、地面や路面等に対して垂直な状態に維持される。
図７は、測量用ポール３が地面や路面等に対して垂直な状態に維持された状態を示す正面図である（三脚１の場合と正面図は同じになる）。
【００２５】
実施例１及び２の変形例を列記する。
（１）実施例１、２の脚頭１ａ、１１ａには、垂直に延びる突出部４、１４が設けてあるが、突出部４、１４を脚頭１ａ、１１ａの上面から正面側に延びるもの、又は脚頭１ａ、１１ａの側面から正面側に延びるものとしても良い。
また、突出部４、１４の形状は台形に限らず、矩形、三角形、円形、だ円形等どのような形状であっても良い。
さらに、実施例１、２では、突出部４を２枚の板状部４ａ、４ｂ、突出部１４を２枚の板状部１４ａ、１４ｂで構成しているが、１枚の板状部で構成しても良い。
（２）実施例１、２のポール保持部２は開口部２ａを有しているが、この開口部２ａは必ずしも必要ない。ポール保持部２を円筒状又は半円筒状として、測量用ポール３を上部から差し込むようにしても良い。そうした場合、測量用ポール３の一部が隠れて見えなくならないように、ポール保持部２の少なくとも正面側を透明にしても良い。
（３）実施例１、２のポール保持部２の背面側には、その中央部にねじ５によって連結される略コの字状の延出部６が設けられているが、この延出部６は略コの字状である必要はない。単なる板状のものとして、２枚の板状部４ａ、４ｂ又は２枚の板状部１４ａ、１４ｂの間に嵌入し、ボルト等の手段により固定しても良い。
（４）実施例１、２のポール保持部２は、脚頭１ａ、１１ａに対して上下に回動可能としているが、上下左右に回動可能なものとしても良い。
そのためには、突出部４、１４を脚頭１ａ、１１ａにねじ止めする等して左右に回動できるように固定すれば良い。その場合も、突出部４、１４を脚頭１ａ、１１ａに対して左右方向に回動させるためにはある程度の力を必要とし、一旦回動を止めた後においては突出部４、１４と脚頭１ａ、１１ａの位置関係が簡単には変わらないようにする。
（５）実施例１、２のポール保持部２は、脚頭１ａ、１１ａに対して上下に回動可能とするために、延出部６を突出部４、１４にボルト等の手段により固定し、背面と垂直な軸の周りに回動可能とするために、背面側の中央部と略コの字状の延出部６をねじ５によって連結しているが、ポール保持部２の背面側に固定的な延出部を設けるとともに、その延出部の端部と突出部４、１４の正面部又は脚頭１ａ、１１ａの正面部をユニバーサルジョイントで接続して、上下左右及び背面と垂直な軸の周りに回動可能なものとしても良い。その場合も、ポール保持部２を脚頭１ａ、１１ａに対して各方向に回動させるためにはある程度の力を必要とし、一旦回動を止めた後においてはポール保持部２と脚頭１ａ、１１ａの位置関係が簡単には変わらないようにする。
（６）実施例１の脚頭１ａとポール保持部２及び実施例２の脚頭１１ａとポール保持部２は、ポール保持部２の背面から延びる延出部６を利用して、脚頭１ａ、１１ａに対して上下に回動可能及び背面と垂直な軸の周りに回動可能としているが、脚頭１ａ、１１ａの上面又は側面から正面側に延びる支持部を設け、その支持部の端部にポール保持部の背面を実施例１及び２と同様の動きができるように取り付けても良い。
さらに、その支持部の端部とポール保持部の背面とを接続した場合の動きとしては、実施例１及び２と同様の動きに限らず、上記変形例（４）と同じく、ポール保持部２を脚頭１ａ、１１ａに対して左右にも回動可能なものとしても良いし、上記変形例（５）と同じく、支持部の端部とポール保持部２の背面をユニバーサルジョイントで接続して、ポール保持部２を脚頭１ａ、１１ａに対して上下左右及び背面と垂直な軸の周りに回動可能なものとしても良い。
（７）実施例１、２においては、ポール保持部２を脚頭１ａ、１１ａに対して各方向に回動させるのにある程度の力が必要となるために、ポール保持部２と延出部６をねじ５で締め付け、突出部４、１４と延出部６をボルト等で締め付けているが、ねじ５やボルト等で締め付ける代わりに、凹凸のある部材同士を噛み合わせたクリック機構を用いても良い。
ユニバーサルジョイントで接続した場合も、ボール状のジョイント部外壁と球形の空洞を有するケーシングの内壁に同じピッチで凹凸を形成して噛み合せたクリック機構を用いても良い。
【符号の説明】
【００２６】
１  三脚      １ａ  脚頭      １ｂ  脚
２  ポール保持部      ２ａ  開口部      ２ｂ  挟持部      ２ｃ  ポール導入部
３  測量用ポール      ４  突出部      ４ａ、４ｂ  板状部      ４ｃ  スペーサ
５  ねじ      ６  延出部      ６ａ、６ｂ  延出片
１１  二脚      １１ａ  脚頭      １１ｂ  脚
１４  突出部      １４ａ、１４ｂ  板状部      １４ｃ  スペーサ
１６  延出部      １６ａ、１６ｂ  延出片
８１  三脚      ８１ａ  脚頭
８２  ポール保持部      ８２ａ  開口部      ８２ｂ  挟持部
９１  測量用三脚      ９４  脚頭      支持体  ９６      ９６ａ  支持筒
９７  支持アーム      ９９  ポールホルダ
９９ａ  基端部      ９９ｂ、９９ｃ  挟持片      Ｐ１  ピンポール
【図１】
0003187891.tif 000003
【図２】
0003187891.tif 000004
【図３】
0003187891.tif 000005
【図４】
0003187891.tif 000006
【図５】
0003187891.tif 000007
【図６】
0003187891.tif 000008
【図８】
0003187891.tif 000009
【図７】
0003187891.tif 000010
【図９】
0003187891.tif 000011